(57)【特許請求の範囲】
【請求項１】
ビンまたは類似のもののための閉鎖装置であって、キャップ状の閉鎖部材を備えており、閉鎖部材が縁部に、ビンまたは類似のものの首に設けられた外向きの突出部に係合するための内向きの突出部（６）を、かつ内部のビンの首の端縁の領域内にビンの首の端面に当接するためのシール面を有した形式のものにおいて、
シール面（５）がシール面部分（８）を有しており、該シール面部分が、軸方向で見て閉鎖部材（１）の底部（３）とは反対方向の、ビンの首に外側から包囲係合する突出部（６）の、ビン半径方向で見て内側の面に形成されており、かつ半径方向に内側へ、軸方向にねじ込み方向の反対方向に傾斜して延びていることを特徴とする、ビンまたは類似のもののための閉鎖装置。
【請求項２】
シール面部分（８）および突出部（６）がキャップ状の閉鎖部材（１）の底部内に配置されたシール部材（４）に設けられている、請求項１記載の閉鎖装置。
【請求項３】
シール部材（４）が底部（３）に向いた側に少なくとも１つの切欠（９）を有しており、切欠がビンの首の端面の内側の半径方向領域から半径方向外方へ延びている、請求項２記載の閉鎖装置。
【請求項４】
切欠（９）が突出部（６）の半径方向外方にまで延びている、請求項３記載の閉鎖装置。
【発明の詳細な説明】
本発明は、請求項の上位概念に挙げられた形式のビンまたは類似のもののために閉鎖装置に関する。
ビンまたは類似のもののための閉鎖装置がドイツ国特許公開第４２３４０１０号明細書によって公知であり、該閉鎖装置はキャップ状の閉鎖部材を備えている。閉鎖部材は、縁部に、ビンまたは類似のものの首に設けられた外向きの突出部に係合するための内向きの突出部を、および内部のビンの首の端縁の領域内に、シール面を有している。シール面は閉鎖部材の底部領域に配置されたシール部材にあり、シール部材はキャップ状の閉鎖部材の底部に面した側に切欠を有し、切欠はシール部材の、ビンの首の端面との当接面の内側の半径方向領域から半径方向に外側へ延びている。ビンの首の端縁で当接するためのシール面はシール部材のキャップ状の閉鎖部材の底部とは反対の側にあり、シール部材は外縁に沿って閉鎖部材の底部とは反対の側に突出部を有しており、突出部はビンの首に外側で軸方向に包囲係合する。
閉鎖部材の底部に向いたシール部材側に形成された切欠は過圧時にビンの首の端面からのシール部材の分離を可能にし、そのために放圧が起り、かつビンの破裂が回避される。切欠外ではこのような分離が起ることはなく、シール部材の材料は容積圧縮不可なので、シール部材のこれらの領域は閉鎖装置のためのストッパを形成する。これは特にねじ結合閉鎖装置で特別重要である。これによって切欠が存在するシール部材の領域に所定の圧着力が得られる。従ってシール部材が切欠の領域においてビンの首から持上がる際の圧力が厳密に、しかもねじ込み力の大きさとは無関係に決められる。この閉鎖装置では圧力の上昇の結果の湾曲によるキャップ状閉鎖部材の底部領域の運動は利用されない。
この公知の閉鎖装置におけるシール部材のストッパ作用を改善するためには、このシール部材はシール部材の圧縮が起ることができない環状の領域を有している。もちろんこの環状の領域はビンの首の端縁の領域内にある。この領域は半径方向においてきわめて小さいので、この環状の領域がビンの首の上に載るよう保証するためには実地では困難である。この環状のストッパ領域によって、シール部材が載置し、かつ過圧時に分離し得る領域が一層小さくされる。これによって実地でシールの問題が生じる。
本発明の課題は、公知の閉鎖装置の欠点が除去される、すなわち特に、ビンの首の端縁の幅およびその半径方向位置の比較的大きな許容誤差においてシール作用が改善される、請求項１の上位概念に挙げられた形式の閉鎖装置を見出すことである。本発明の基礎をなす課題は請求項１の特徴に記載された教示によって解決される。
この教示の根本思想は、シール部材に斜めの、ほぼ円錐形のシール面部分を製作し、該シール面部分がシール面の少なくとも１部分を形成し、かつシール部材のセンタリングと密閉性の改善を行うことになる。これは、斜めの面がビンの首の端縁の外側の境界部に当接し、ここで面押圧が高められることによって得られる。この押圧は、過圧時に閉鎖部材の底部が外方へ湾曲する場合には低減ないしは消失せしめられ、これによって過圧弁の作用が得られる。
シール面部分および突出部は有利にはキャップ状の閉鎖部材の底部内に配置されたシール部材に設けられる。この場合シール部材の材料はキャップ状の閉鎖部材の材料とは無関係に選択され、そうしてシール条件に適合せしめられる。
このような別個のシール部材の使用では、シール部材が底部に向いた面に少なくとも１つの切欠を有し、該切欠がビンの首の端面よりも内側の半径方向領域から半径方向に外側へ延びていると有利である。この場合切欠が突出部の外面内にまで延びていると有利である。切欠の領域においてはシール部材は軟弱であり、従ってシール部材は過圧時に変位し、過圧時の排気過程を支援することができる。
以下図面に基づいて実施例につき本発明が詳説される。図１は本発明の実施例の半径方向半部の断面図、図２は図１によるシール部材の平面図である。
図１に半部が断面されて示された閉鎖装置派閉鎖部材１を有し、その縁部２は部分的に示され、かつ図示されない部分には内向きの突出部、例えば王冠コルクの圧潰部または金属またはプラスティックねじ結合閉鎖装置のねじ山をビンの首に設けられた外向きの突出部に係合するために有している。閉鎖部材１の底部３に対してシール部材４が配置され、シール部材はビンの首の端縁へ当接するためのシール面５を有している。
シール部材４はその外縁に沿って閉鎖部材１の底部３の反対の方向の突出部６を有しており、突出部はねじ結合状態でビンの首の外縁に包囲係合する。突出部６は小さな延長部７を有し、この延長部は閉鎖部材１の縁部２内面の対応する形状の（komplementaer）みぞ内へ係合しており、その結果シール部材４は紛失しないように閉鎖部材１と結合される。
シール面５は突出部６の半径方向の内面にシール面部分８を有している。シール面部分は突出部６から内方へ傾斜している。突出部６のこの傾斜した、すなわち円錐形のシール面部分８はねじ結合状態でビンの首の端面の外縁にしっかりと当接し、このようにして良好な密閉を行う。ビン内の圧力上昇時には底部３が外方へ湾曲し、これによって縁部２はシール面部分８の領域内で上方、外方へほぼ自体に対して垂直にビンの端縁から離れるように移動し、こうしてシール作用を減少させ、または消失させ、その結果過圧は逃げることができる。シール面部分８の傾斜の程度はこの閉鎖装置によって形成された過圧弁の開放圧を決める。
シール部材４はシール面５およびシール面部分８とは反対の、閉鎖部材１の底部３に面した側に細い、半径方向の通路９を有している。シール部材４は、配設のビン内に十分に高い圧力が支配した場合にこれらの通路９の領域内で閉鎖部材１の底部の方向へ変位することができる。
従って全体として過圧弁が形成され、これはビンの破裂が避けられるように設計することができる。
図示の実施例では通過９は突出部６の外面内にまで延びており、従って相当に高い圧力が支配した場合には突出部６の材料も、ほぼ半径方向外方へ変位することができる。
図２は図１によるシール部材の一部分を、図１の図面を上から、すなわち閉鎖部材１の底部３から見た図である。このようにして通路９の寸法および経過がよく判る。
【図１】
0003904229.tif 000002
【図２】
0003904229.tif 000003